(57)【要約】【課題】色再現範囲を拡大し高輝度化を図りつつ、光学系のサイズを小さくすること。【解決手段】Ｒ光、Ｇ1光、Ｇ2光およびＢ光を合成するクロスダイクロイックプリズム２０３と、Ｒ光を発生させるＬＥＤ２０１Ｒと、Ｇ1光を発生させるＬＥＤ２０１Ｇ1と、Ｇ2光を発生させるＬＥＤ２０１Ｇ2と、ＬＥＤ２０１Ｇ2に併設されＢ光を発生させるＬＥＤ２０１Ｂと、ＬＥＤ２０１Ｒ、ＬＥＤ２０１Ｇ1、ＬＥＤ２０１Ｇ2およびＬＥＤ２０１Ｂを駆動制御する制御部とを備え、Ｇ2光とＢ光とは、ピーク波長が隣接しており、制御部は、ＬＥＤ２０１Ｇ2とＬＥＤ２０１Bとを時分割で切替えて駆動制御する。【選択図】        図１
2005321524.tif 000002
【特許請求の範囲】
【請求項１】
第１〜第３光路から入射される第１色光〜第４色光を合成する光合成手段と、
前記第１光路上に配設され前記第１色光を発生させる第１発光手段と、
前記第２光路上に配設され前記第２色光を発生させる第２発光手段と、
前記第３光路上に配設され前記第３色光を発生させる第３発光手段と、
前記第３光路上において前記第３発光手段に併設され前記第４色光を発生させる第４発光手段と、
前記第１発光手段〜第４発光手段を駆動制御する制御手段とを備え、前記第１色光〜第４色光のうち、前記第３色光と前記第４色光とは、ピーク波長が隣接しており、前記制御手段は、前記第３発光手段と前記第４発光手段とを時分割で切替えて駆動制御すること、
を特徴とする光源装置。
【請求項２】
前記第１〜第３光路に対応させて前記光合成手段の入射側にそれぞれ配設され、各色の映像に対応させて第１色光〜第４色光にそれぞれ変調をかける第１〜第３の変調手段を備え、前記制御手段は、前記第３発光手段と前記第４発光手段との切り替えに対応させて前記第３の変調手段を駆動制御することを特徴とする請求項１に記載の光源装置。
【請求項３】
前記第１光路上において前記第１発光手段に併設され第５色光を発生させる第５発光手段を備え、前記第１色光と前記第５色光とは、ピーク波長が隣接しており、前記制御手段は、前記第１発光手段と第５発光手段とを時分割で切替えて駆動制御することを特徴とする請求項１に記載の光源装置。
【請求項４】
前記第１〜第３光路に対応させて前記光合成手段の入射側にそれぞれ配設され、各色の映像に対応させて第１色光〜第５色光にそれぞれ変調をかける第１〜第３の変調手段を備え、前記制御手段は、前記第１発光手段と前記第５発光手段との切り替えに対応させて前記第１の変調手段を駆動制御し、前記第３発光手段と前記第４発光手段との切り替えに対応させて前記第３の変調手段を駆動制御することを特徴とする請求項３に記載の光源装置。
【請求項５】
請求項１〜４のいずれか一つに記載の光源装置を用いたプロジェクタ。
【発明の詳細な説明】
【技術分野】
【０００１】
本発明は、光源装置およびプロジェクタに関するものであり、特に、色再現範囲を拡大し高輝度化を図りつつ、光学系のサイズを小さくすることができる光源装置およびプロジェクタを提供することを目的とする。
【背景技術】
【０００２】
従来より、プロジェクタに用いられる光源装置には、高輝度化が要求されている。そこで、従来では、かかる要求を満たすべく、２つの異なる波長の光をダイクロイックミラーで合成し、高輝度化を図るための方法が提案されている（特許文献１参照）。図１３は、従来の光源装置１００の構成を示す平面図である。この光源装置１００は、上述した高輝度化を図る方法を適用したものであり、例えば、プロジェクタに用いられる。
【０００３】
同図において、ＬＥＤ１０１Ｒ、ＬＥＤ１０１Ｇ1、ＬＥＤ１０１Ｇ2およびＬＥＤ１０１Ｂは、後述するクロスダイクロイックプリズム１０４の三辺近傍にそれぞれ配設されており、赤色光（以下、Ｒ光という）、第１緑色光（以下、Ｇ1光という）、第２緑色光（以下、Ｇ2光という）および青色光（以下、Ｂ光という）をそれぞれ発生させる固体発光素子である。ここで、Ｒ光、Ｇ1光、Ｇ2光およびＢ光は、図１４に示したようにそれぞれ異なるピーク波長λＲ、λＧ1、λＧ2およびλＢのスペクトルを有している。このように、Ｒ光、Ｇ1光、Ｇ2光およびＢ光という４色の光を用いることにより、３色（ＲＧＢ）を用いた場合に比して、色再現範囲が拡大する。
【０００４】
図１３に戻り、液晶ライトバルブ１０２Ｒは、ＬＥＤ１０１Ｒの近傍に配設されており、ＬＥＤ１０１Ｒから出射されたＲ光を画像信号に応じて変調する透過型の液晶表示デバイスである。すなわち、液晶ライトバルブ１０２Ｒでは、Ｒ光に対応する色に応じた映像が形成され、Ｒ光が透過する際に変調される。
【０００５】
ダイクロイックミラー１０３は、ＬＥＤ１０１Ｇ1から出射されるＧ1光と、ＬＥＤ１０１Ｇ2から出射されるＧ2光とがそれぞれ４５度で入射される角度に配設されており、Ｇ1光（ピーク波長λＧ1）を透過させる一方、Ｇ2光（ピーク波長λＧ2）を反射させるという光学的特性を有する光学デバイスである。すなわち、ダイクロイックミラー１０３は、Ｇ1光とＧ2光とを合成する光学デバイスである。このように、従来の光源装置１００では、ダイクロイックミラー１０３でＧ1光とＧ2光とを合成し、緑色光で高輝度を得ている。ここで、白色光は、赤色光、緑色光および青色光がおよそ２：７：１の割合で合成されたものである。従って、光源装置１００においては、緑色光の輝度を他の色よりも高くする必要があるため、ダイクロイックミラー１０３でＧ1光とＧ2光とを合成することにより、緑色光で高輝度を得ているのである。
【０００６】
液晶ライトバルブ１０２Ｇは、ダイクロイックミラー１０３の近傍に配設されており、ダイクロイックミラー１０３で合成された緑色光（以下、Ｇ1Ｇ2光という）を画像信号に応じて変調する透過型の液晶表示デバイスである。すなわち、液晶ライトバルブ１０２Ｇでは、Ｇ1Ｇ2光の色に応じた映像が形成され、Ｇ1Ｇ2光が透過する際に変調される。液晶ライトバルブ１０２Ｂは、ＬＥＤ１０１Ｂの近傍に配設されており、ＬＥＤ１０１Ｂから出射されたＢ光を画像信号に応じて変調する透過型の液晶表示デバイスである。すなわち、液晶ライトバルブ１０２Ｂでは、Ｂ光に対応する色に応じた映像が形成され、Ｂ光が透過する際に変調される。
【０００７】
クロスダイクロイックプリズム１０４は、２つのダイクロイック膜１０５およびダイクロイック膜１０６を有している。これらのダイクロイック膜１０５およびダイクロイック膜１０６は、Ｘ字型に直交するように配置されている。ダイクロイック膜１０５は、図１４に破線で示した透過特性を有しており、Ｇ2光、Ｇ1光およびＢ光を透過させる一方、Ｒ光を反射させる。ダイクロイック膜１０６は、同図に一点鎖線で示した透過特性を有しており、Ｒ光、Ｇ1光およびＧ2光を透過させる一方、Ｂ光を反射させる。このように、図１３に示したクロスダイクロイックプリズム１０４は、Ｒ光、Ｇ1Ｇ2光（Ｇ1光、Ｇ2光）およびＢ光を合成する機能を備えている。投写レンズ１０７は、クロスダイクロイックプリズム１０４で合成された光をスクリーン（図示略）に投写するレンズである。
【０００８】
【特許文献１】特開２００１−４２４３１号公報
【発明の開示】
【発明が解決しようとする課題】
【０００９】
ところで、従来の光源装置１００においては、図１３に示したダイクロイックミラー１０３、ＬＥＤ１０１Ｇ1およびＬＥＤ１０１Ｇ2を液晶ライトバルブ１０２Ｇの近傍に配設することにより、緑色光で高輝度を得ているが、これらのダイクロイックミラー１０３、ＬＥＤ１０１Ｇ1およびＬＥＤ１０１Ｇ2を配設する空間を広くとる必要があり、光学系のサイズが大きくなるという問題があった。
【００１０】
本発明は、上記に鑑みてなされたものであって、色再現範囲を拡大し高輝度化を図りつつ、光学系のサイズを小さくすることができる光源装置およびプロジェクタを提供することを目的とする。
【課題を解決するための手段】
【００１１】
上述した課題を解決し、目的を達成するために、本発明は、第１〜第３光路から入射される第１色光〜第４色光を合成する光合成手段と、前記第１光路上に配設され前記第１色光を発生させる第１発光手段と、前記第２光路上に配設され前記第２色光を発生させる第２発光手段と、前記第３光路上に配設され前記第３色光を発生させる第３発光手段と、前記第３光路上において前記第３発光手段に併設され前記第４色光を発生させる第４発光手段と、前記第１発光手段〜第４発光手段を駆動制御する制御手段とを備え、前記第１色光〜第４色光のうち、前記第３色光と前記第４色光とは、ピーク波長が隣接しており、前記制御手段は、前記第３発光手段と前記第４発光手段とを時分割で切替えて駆動制御すること、を特徴とする。
【００１２】
本発明によれば、第１色光〜第４色光を合成する光合成手段と、第１〜第４発光手段と、第１〜第４発光手段を駆動制御する制御手段を設け、第３発光手段および第４発光手段を併設し、第３色光と第４色光とのピーク波長を隣接させ、制御手段で、第３発光手段と第４発光手段とを時分割で切替えて駆動制御することとしたので、色再現範囲を拡大し高輝度化を図りつつ、光学系のサイズを小さくすることができる。
【００１３】
また、本発明は、上記発明において、前記第１〜第３光路に対応させて前記光合成手段の入射側にそれぞれ配設され、各色の映像に対応させて第１色光〜第４色光にそれぞれ変調をかける第１〜第３の変調手段を備え、前記制御手段は、前記第３発光手段と前記第４発光手段との切り替えに対応させて前記第３の変調手段を駆動制御することを特徴とする。
【００１４】
本発明によれば、第１〜第３光路に対応させて光合成手段の入射側にそれぞれ配設され、各色の映像に対応させて第１色光〜第４色光にそれぞれ変調をかける第１〜第３の変調手段を設け、制御手段で、第３発光手段と第４発光手段との切り替えに対応させて第３の変調手段を駆動制御することとしたので、色再現範囲を拡大し高輝度化を図りつつ、映像を表示する装置における光学系のサイズを小さくすることができる。
【００１５】
また、本発明は、上記発明において、前記第１光路上において前記第１発光手段に併設され第５色光を発生させる第５発光手段を備え、前記第１色光と前記第５色光とは、ピーク波長が隣接しており、前記制御手段は、前記第１発光手段と第５発光手段とを時分割で切替えて駆動制御することを特徴とする。
【００１６】
本発明によれば、第１光路上において第１発光手段に併設され第５色光を発生させる第５発光手段を設け、第１色光と第５色光とのピーク波長を隣接させ、制御手段で、第１発光手段と第５発光手段とを時分割で切替えて駆動制御することとしたので、さらに色再現範囲を拡大し高輝度化を図りつつ、光学系のサイズを小さくすることができる。
【００１７】
また、本発明は、上記発明において、前記第１〜第３光路に対応させて前記光合成手段の入射側にそれぞれ配設され、各色の映像に対応させて第１色光〜第５色光にそれぞれ変調をかける第１〜第３の変調手段を備え、前記制御手段は、前記第１発光手段と前記第５発光手段との切り替えに対応させて前記第１の変調手段を駆動制御し、前記第３発光手段と前記第４発光手段との切り替えに対応させて前記第３の変調手段を駆動制御することを特徴とする。
【００１８】
本発明によれば、第１〜第３光路に対応させて光合成手段の入射側にそれぞれ配設され、各色の映像に対応させて第１色光〜第５色光にそれぞれ変調をかける第１〜第３の変調手段を設け、制御手段で、第１発光手段と第５発光手段との切り替えに対応させて第１の変調手段を駆動制御し、第３発光手段と第４発光手段との切り替えに対応させて第３の変調手段を駆動制御することとしたので、さらに色再現範囲を拡大し高輝度化を図りつつ、映像を表示する装置における光学系のサイズを小さくすることができる。
【００１９】
また、本発明は、上記発明のいずれか一つの光源装置を用いたプロジェクタである。本発明によれば、色再現範囲を拡大し高輝度化を図りつつ、プロジェクタにおける光学系のサイズを小さくすることができる。
【発明を実施するための最良の形態】
【００２０】
以下に、本発明にかかる光源装置およびプロジェクタの実施例を図面に基づいて詳細に説明する。なお、この実施例によりこの発明が限定されるものではない。
【実施例１】
【００２１】
図１は、本発明にかかる実施例１による光源装置２００の構成を示す平面図である。この光源装置２００は、例えば、プロジェクタに用いられる。光源装置２００において、ＬＥＤ２０１Ｒ、ＬＥＤ２０１Ｇ1、ＬＥＤ２０１Ｇ2およびＬＥＤ２０１Ｂは、後述するクロスダイクロイックプリズム２０３の三辺近傍にそれぞれ配設されており、赤色光（以下、Ｒ光という）、第１緑色光（以下、Ｇ1光という）、第２緑色光（以下、Ｇ2光という）および青色光（以下、Ｂ光という）をそれぞれ発生させる固体発光素子である。ここで、Ｒ光、Ｇ1光、Ｇ2光およびＢ光は、図２に示したようにそれぞれ異なるピーク波長λＲ、λＧ1、λＧ2およびλＢのスペクトルを有している。
【００２２】
このように、Ｒ光、Ｇ1光、Ｇ2光およびＢ光という４色の光を用いることにより、図３に示したｘｙ色度図に示したように、３色（ＲＧＢ）を用いた場合（色域Ａ１参照）に比して、色再現範囲が拡大する（色域Ａ２参照）。
【００２３】
ＬＥＤ２０１Ｒは、液晶ライトバルブ２０２Ｒの近傍に配設されている。液晶ライトバルブ２０２Ｒは、ＬＥＤ２０１Ｒから出射されたＲ光を画像信号に応じて変調する透過型の液晶表示デバイスである。すなわち、液晶ライトバルブ２０２Ｒでは、Ｒ光に対応する色に応じた映像が形成され、Ｒ光が透過する際に変調される。
【００２４】
ＬＥＤ２０１Ｇ1は、液晶ライトバルブ２０２Ｇ1の近傍に配設されている。液晶ライトバルブ２０２Ｇ1は、ＬＥＤ２０１Ｇ1から出射されたＧ1光を画像信号に応じて変調する透過型の液晶表示デバイスである。すなわち、液晶ライトバルブ２０２Ｇ1では、Ｇ1光に対応する色に応じた映像が形成され、Ｇ1光が透過する際に変調される。
【００２５】
ＬＥＤ２０１Ｇ2およびＬＥＤ２０１Ｂは、液晶ライトバルブ２０２ＢＧ2の近傍に併設されている。これらのＬＥＤ２０１Ｇ2およびＬＥＤ２０１Ｂからは、液晶ライトバルブ２０２ＢＧ2へ向けて、時分割でＧ２光とＢ光とが交互に出射される。液晶ライトバルブ２０２ＢＧ2は、ＬＥＤ２０１Ｇ2から出射されたＧ2光を画像信号に応じて変調する機能と、ＬＥＤ２０１Ｂから出射されたＢ光を画像信号に応じて変調する機能とを兼ね備えた透過型の液晶表示デバイスである。すなわち、液晶ライトバルブ２０２ＢＧ2では、Ｇ2光に対応する色に応じた映像と、Ｂ光に対応する色に応じた映像とが時分割で交互に形成される。
【００２６】
クロスダイクロイックプリズム２０３は、２つのダイクロイック膜２０４およびダイクロイック膜２０５を有している。これらのダイクロイック膜２０４およびダイクロイック膜２０５は、Ｘ字型に直交するように配置されている。ダイクロイック膜２０４は、図２に破線で示した透過特性を有しており、Ｇ1光、Ｇ2光およびＢ光を透過させる一方、Ｒ光を反射させる。ダイクロイック膜２０５は、同図に一点鎖線で示した透過特性を有しており、Ｒ光およびＧ1光を透過させる一方、Ｇ2光およびＢ光を反射させる。このように、図１に示したクロスダイクロイックプリズム２０３は、Ｒ光、Ｇ1光、Ｇ2光およびＢ光を合成する機能を備えている。投写レンズ２０６は、クロスダイクロイックプリズム２０３で合成された光をスクリーン（図示略）に投写するレンズである。
【００２７】
上記構成において、制御部（図示略）は、図４に示したタイミングで、ＬＥＤ２０１Ｒ、液晶ライトバルブ２０２Ｒ、ＬＥＤ２０１Ｇ1、液晶ライトバルブ２０２Ｇ1、ＬＥＤ２０１Ｂ、ＬＥＤ２０１Ｇ2および液晶ライトバルブ２０２ＢＧ2をそれぞれ駆動制御する。すなわち、ＬＥＤ２０１ＲおよびＬＥＤ２０１Ｇ1は、制御部の制御により、常時駆動される。従って、図１に示したＬＥＤ２０１ＲおよびＬＥＤ２０１Ｇ1からは、Ｒ光およびＧ1光が常時出射される。液晶ライトバルブ２０２Ｒおよび液晶ライトバルブ２０２Ｇ1は、制御部の制御により、図４に示した時刻ｔ１、時刻ｔ３で駆動され、Ｒ光およびＧ１光をそれぞれ変調する。
【００２８】
ここで、各書込時間Ｔは、液晶ライトバルブ２０２Ｒ、液晶ライトバルブ２０２Ｇ1および液晶ライトバルブ２０２ＢＧ2で線順次書き込み方式により、１ライン目から最終ラインまでの書き込みに要する時間である。
【００２９】
一方、ＬＥＤ２０１ＢとＬＥＤ２０１Ｇ2とは、制御部の制御により、時分割で交互に駆動される。具体的には、液晶ライトバルブ２０２ＢＧ2は、時刻ｔ１、時刻ｔ２および時刻ｔ３で駆動され、Ｂ光とＧ2光とを交互に変調する。ＬＥＤ２０１Ｂは、液晶ライトバルブ２０２ＢＧ2が時刻ｔ１で駆動されて全ラインの書き込みが終了した後、時刻ｔ１＋αで駆動される。一方、ＬＥＤ２０１Ｇ2は、液晶ライトバルブ２０２ＢＧ2が時刻ｔ２で駆動されて全ラインの書き込みが終了した後、時刻ｔ２＋αで駆動される。
【００３０】
上述したタイミングで制御されることにより、クロスダイクロイックプリズム２０３でＲ光、Ｇ1光、Ｇ2光およびＢ光が合成され、合成された光は、投写レンズ２０６によりスクリーン（図示略）に投写される。
【００３１】
以上説明したように、実施例１によれば、Ｒ光、Ｇ１光、Ｇ２光およびＢ光を合成するクロスダイクロイックプリズム２０３と、ＬＥＤ２０１Ｒ、ＬＥＤ２０１Ｇ1、ＬＥＤ２０１Ｇ2およびＬＥＤ２０１Ｂとこれらの、ＬＥＤ２０１Ｒ、ＬＥＤ２０１Ｇ1、ＬＥＤ２０１Ｇ2およびＬＥＤ２０１Ｂを駆動制御する制御部（図示略）を設け、ＬＥＤ２０１Ｇ2およびＬＥＤ２０１Ｂを併設し、図２に示したようにＧ2光とＢ光とのピーク波長を隣接させ、制御部で、ＬＥＤ２０１Ｇ2とＬＥＤ２０１Ｂとを時分割で切替えて駆動制御することとしたので、色再現範囲を拡大し高輝度化を図りつつ、光学系のサイズを小さくすることができる。
【００３２】
また、実施例１によれば、クロスダイクロイックプリズム２０３の入射側にそれぞれ配設され、各色の映像に対応させてＲ光、Ｇ１光、Ｇ２光およびＢ光にそれぞれ変調をかける液晶ライトバルブ２０２Ｒ、液晶ライトバルブ２０２Ｇ1および液晶ライトバルブ２０２ＢＧ２を設け、制御部で、ＬＥＤ２０１Ｇ2とＬＥＤ２０１Bとの切り替えに対応させて液晶ライトバルブ２０２ＢＧ2を駆動制御することとしたので、色再現範囲を拡大し高輝度化を図りつつ、映像を表示するプロジェクタにおける光学系のサイズを小さくすることができる。
【実施例２】
【００３３】
さて、前述した実施例１では、Ｒ光、Ｇ1光、Ｇ2光およびＢ光という４色光を用いた構成例について説明したが、上記４色光に第３緑色光（以下、Ｇ3光という）を加えた５色光を用いた構成例としてもよい。以下では、この構成例を実施例２として説明する。
【００３４】
図５は、本発明にかかる実施例２による光源装置３００の構成を示す平面図である。光源装置３００は、例えば、プロジェクタに用いられる。この図において、図１の各部に対応する部分には同一の符号を付ける。同図に示した光源装置３００においては、ＬＥＤ２０１Ｇ3が新たに設けられているとともに、図１に示した液晶ライトバルブ２０２Ｒに代えて、液晶ライトバルブ２０２ＲＧ3が設けられている。ＬＥＤ２０１Ｇ3は、上述したＧ3光を発生させる固体発光素子である。ここで、Ｒ光、Ｇ1光、Ｇ2光、Ｇ3光およびＢ光は、図６に示したようにそれぞれ異なるピーク波長λＲ、λＧ1、λＧ3、λＧ2およびλＢのスペクトルを有している。すなわち、Ｇ3光の波長は、Ｇ1光の波長よりも長く、Ｒ光の波長よりも短い。
【００３５】
このように、Ｒ光、Ｇ1光、Ｇ2光、Ｇ3光およびＢ光という５色の光を用いることにより、図７に示したｘｙ色度図に示したように、３色（ＲＧＢ）を用いた場合（色域Ａ１参照）に比して、色再現範囲がさらに拡大する（色域Ａ３参照）。
【００３６】
図５に戻り、ＬＥＤ２０１Ｇ3は、ＬＥＤ２０１Ｒに併設されており、液晶ライトバルブ２０２ＲＧ3の近傍に併設されている。これらのＬＥＤ２０１Ｇ3およびＬＥＤ２０１Ｒからは、液晶ライトバルブ２０２ＲＧ3へ向けて、時分割でＧ3光とＲ光とが交互に出射される。液晶ライトバルブ２０２ＲＧ3は、ＬＥＤ２０１Ｇ3から出射されたＧ3光を画像信号に応じて変調する機能と、ＬＥＤ２０１Ｒから出射されたＲ光を画像信号に応じて変調する機能とを兼ね備えた透過型の液晶表示デバイスである。すなわち、液晶ライトバルブ２０２ＲＧ3では、Ｇ3光に対応する色に応じた映像と、Ｒ光に対応する色に応じた映像とが時分割で交互に形成される。
【００３７】
また、実施例２において、ダイクロイック膜２０４は、図６に破線で示した透過特性を有しており、Ｇ1光、Ｇ2光およびＢ光を透過させる一方、Ｇ3光およびＲ光を反射させる。ダイクロイック膜２０５は、同図に一点鎖線で示した透過特性を有しており、Ｒ光、Ｇ3光およびＧ1光を透過させる一方、Ｇ2光およびＢ光を反射させる。
【００３８】
上記構成において、制御部（図示略）は、図８に示したタイミングで、ＬＥＤ２０１Ｒ、ＬＥＤ２０１Ｇ3、液晶ライトバルブ２０２ＲＧ3、ＬＥＤ２０１Ｇ1、液晶ライトバルブ２０２Ｇ1、ＬＥＤ２０１Ｂ、ＬＥＤ２０１Ｇ2および液晶ライトバルブ２０２ＢＧ2をそれぞれ駆動制御する。すなわち、ＬＥＤ２０１Ｇ1は、制御部の制御により、常時駆動される。従って、図５に示したＬＥＤ２０１Ｇ1からは、Ｇ1光が常時出射される。液晶ライトバルブ２０２Ｇ1は、制御部の制御により、図８に示した時刻ｔ１、時刻ｔ３で駆動され、Ｇ1光を変調する。
【００３９】
ここで、各書込時間Ｔは、液晶ライトバルブ２０２ＲＧ3、液晶ライトバルブ２０２Ｇ1および液晶ライトバルブ２０２ＢＧ2で線順次書き込み方式により、１ライン目から最終ラインまでの書き込みに要する時間である。
【００４０】
また、ＬＥＤ２０１ＲとＬＥＤ２０１Ｇ3とは、制御部の制御により、時分割で交互に駆動される。具体的には、液晶ライトバルブ２０２ＲＧ3は、時刻ｔ１、時刻ｔ２および時刻ｔ３で駆動され、Ｒ光とＧ3光とを交互に変調する。ＬＥＤ２０１Ｒは、液晶ライトバルブ２０２ＲＧ3が時刻ｔ１で駆動されて全ラインの書き込みが終了した後、時刻ｔ１＋αで駆動される。一方、ＬＥＤ２０１Ｇ3は、液晶ライトバルブ２０２ＲＧ3が時刻ｔ２で駆動されて全ラインの書き込みが終了した後、時刻ｔ２＋αで駆動される。
【００４１】
また、ＬＥＤ２０１ＢとＬＥＤ２０１Ｇ2とは、制御部の制御により、時分割で交互に駆動される。具体的には、液晶ライトバルブ２０２ＢＧ2は、時刻ｔ１、時刻ｔ２および時刻ｔ３で駆動され、Ｂ光とＧ2光とを交互に変調する。ＬＥＤ２０１Ｂは、液晶ライトバルブ２０２ＢＧ2が時刻ｔ１で駆動されて全ラインの書き込みが終了した後、時刻ｔ１＋αで駆動される。一方、ＬＥＤ２０１Ｇ2は、液晶ライトバルブ２０２ＢＧ2が時刻ｔ２で駆動されて全ラインの書き込みが終了した後、時刻ｔ２＋αで駆動される。
【００４２】
上述したタイミングで制御されることにより、クロスダイクロイックプリズム２０３でＲ光、Ｇ1光、Ｇ2光、Ｇ3光およびＢ光が合成され、合成された光は、投写レンズ２０６によりスクリーン（図示略）に投写される。
【００４３】
以上説明したように、実施例２によれば、ＬＥＤ２０１Ｒに併設されＧ3光を発生させるＬＥＤ２０１Ｇ3を設け、図６に示したように、Ｒ光とＧ3光とのピーク波長を隣接させ、制御部で、ＬＥＤ２０１ＲとＬＥＤ２０１Ｇ3とを時分割で切替えて駆動制御することとしたので、さらに色再現範囲を拡大し高輝度化を図りつつ、光学系のサイズを小さくすることができる。
【００４４】
また、実施例２によれば、液晶ライトバルブ２０２ＲＧ3を設け、制御部で、ＬＥＤ２０１ＲとＬＥＤ２０１Ｇ3との切り替えに対応させて液晶ライトバルブ２０２ＲＧ3を駆動制御し、さらに色再現範囲を拡大し高輝度化を図りつつ、映像を表示するプロジェクタにおける光学系のサイズを小さくすることができる。
【実施例３】
【００４５】
さて、前述した実施例２では、Ｒ光、Ｇ1光、Ｇ2光、Ｇ3光およびＢ光という５色光を用いた構成例について説明したが、上記５色光からＧ2光を除く４色光を用いた構成例としてもよい。以下では、この構成例を実施例３として説明する。
【００４６】
図９は、本発明にかかる実施例３による光源装置４００の構成を示す平面図である。光源装置４００は、例えば、プロジェクタに用いられる。この図において、図５および図１の各部に対応する部分には同一の符号を付ける。同図に示した光源装置４００においては、図５に示したＬＥＤ２０１Ｇ2が削除されているとともに、図５に示した液晶ライトバルブ２０２ＢＧ2に代えて、液晶ライトバルブ２０２Ｂが設けられている。ライトバルブ２０２Ｂは、ＬＥＤ２０１Ｂの近傍に配設されており、ＬＥＤ２０１Ｂから出射されたＢ光を画像信号に応じて変調する透過型の液晶表示デバイスである。すなわち、液晶ライトバルブ２０２Ｂでは、Ｂ光に対応する色に応じた映像が形成され、Ｂ光が透過する際に変調される。
【００４７】
ここで、実施例３では、Ｒ光、Ｇ1光、Ｇ3光およびＢ光という４色の光を用いることにより、図１１に示したｘｙ色度図に示したように、３色（ＲＧＢ）を用いた場合（色域Ａ１参照）に比して、色再現範囲がさらに拡大する（色域Ａ４参照）。
【００４８】
また、実施例３において、ダイクロイック膜２０４は、図１０に破線で示した透過特性を有しており、Ｇ1光およびＢ光を透過させる一方、Ｇ3光およびＲ光を反射させる。ダイクロイック膜２０５は、同図に一点鎖線で示した透過特性を有しており、Ｒ光、Ｇ3光およびＧ1光を透過させる一方、Ｂ光を反射させる。
【００４９】
上記構成において、制御部（図示略）は、図１２に示したタイミングで、ＬＥＤ２０１Ｒ、ＬＥＤ２０１Ｇ3、液晶ライトバルブ２０２ＲＧ3、ＬＥＤ２０１Ｇ1、液晶ライトバルブ２０２Ｇ1、ＬＥＤ２０１Ｂ、液晶ライトバルブ２０２Ｂをそれぞれ駆動制御する。すなわち、ＬＥＤ２０１Ｇ1およびＬＥＤ２０１Ｂは、制御部の制御により、それぞれ常時駆動される。従って、図９に示したＬＥＤ２０１Ｇ1およびＬＥＤ２０１Ｂからは、Ｇ1光およびＢ光が常時出射される。液晶ライトバルブ２０２Ｇ1および液晶ライトバルブ２０２Ｂは、制御部の制御により、図１２に示した時刻ｔ１、時刻ｔ３で駆動され、Ｇ1光およびＢ光をそれぞれ変調する。
【００５０】
ここで、各書込時間Ｔは、液晶ライトバルブ２０２ＲＧ3、液晶ライトバルブ２０２Ｇ1および液晶ライトバルブ２０２Ｂで線順次書き込み方式により、１ライン目から最終ラインまでの書き込みに要する時間である。
【００５１】
また、ＬＥＤ２０１ＲとＬＥＤ２０１Ｇ3とは、制御部の制御により、時分割で交互に駆動される。具体的には、液晶ライトバルブ２０２ＲＧ3は、時刻ｔ１、時刻ｔ２および時刻ｔ３で駆動され、Ｒ光とＧ3光とを交互に変調する。ＬＥＤ２０１Ｒは、液晶ライトバルブ２０２ＲＧ3が時刻ｔ１で駆動されて全ラインの書き込みが終了した後、時刻ｔ１＋αで駆動される。一方、ＬＥＤ２０１Ｇ3は、液晶ライトバルブ２０２ＲＧ3が時刻ｔ２で駆動されて全ラインの書き込みが終了した後、時刻ｔ２＋αで駆動される。
【００５２】
上述したタイミングで制御されることにより、クロスダイクロイックプリズム２０３でＲ光、Ｇ1光、Ｇ3光およびＢ光が合成され、合成された光は、投写レンズ２０６によりスクリーン（図示略）に投写される。
【００５３】
以上説明したように、実施例３によれば、実施例１と同様の作用効果を奏する。
【産業上の利用可能性】
【００５４】
以上のように、本発明にかかる光源装置およびプロジェクタは、色再現範囲の拡大化、高輝度化や、光学系のサイズの小型化に対して有用である。
【図面の簡単な説明】
【００５５】
【図１】本発明にかかる実施例１による光源装置２００の構成を示す平面図。
【図２】図１に示した光源装置２００の光スペクトルおよび透過特性を示す図。
【図３】同実施例１におけるｘｙ色度図。
【図４】同実施例１における駆動制御タイミングを示す図。
【図５】本発明にかかる実施例２による光源装置３００の構成を示す平面図。
【図６】図５に示した光源装置３００の光スペクトルおよび透過特性を示す図。
【図７】同実施例２におけるｘｙ色度図。
【図８】同実施例２における駆動制御タイミングを示す図。
【図９】本発明にかかる実施例３による光源装置４００の構成を示す平面図。
【図１０】図９に示した光源装置４００の光スペクトルおよび透過特性を示す図。
【図１１】同実施例３におけるｘｙ色度図。
【図１２】同実施例３における駆動制御タイミングを示す図。
【図１３】従来の光源装置１００の構成を示す平面図。
【図１４】図１３に示した光源装置１００の光スペクトルおよび透過特性を示す図。
【符号の説明】
【００５６】
２００  光源装置、２０１Ｒ  ＬＥＤ、２０１Ｇ1  ＬＥＤ、２０１Ｇ2  ＬＥＤ、２０１Ｇ3  ＬＥＤ、２０１Ｂ  ＬＥＤ、２０２Ｒ  液晶ライトバルブ、２０２Ｇ1  液晶ライトバルブ、２０２ＢＧ2  液晶ライトバルブ、２０３  クロスダイクロイックプリズム、３００  光源装置、２０２ＲＧ3  液晶ライトバルブ、４００  光源装置、２０２Ｂ  液晶ライトバルブ
【図１】
2005321524.tif 000003
【図２】
2005321524.tif 000004
【図３】
2005321524.tif 000005
【図４】
2005321524.tif 000006
【図５】
2005321524.tif 000007
【図６】
2005321524.tif 000008
【図７】
2005321524.tif 000009
【図８】
2005321524.tif 000010
【図９】
2005321524.tif 000011
【図１０】
2005321524.tif 000012
【図１１】
2005321524.tif 000013
【図１２】
2005321524.tif 000014
【図１３】
2005321524.tif 000015
【図１４】
2005321524.tif 000016